(57)【要約】【課題】精神科医療の専門医でない医師であってもうつ病の診断等を可能にする精神科医療補助サーバー等を提供する。【解決手段】このサーバーは、クライアント端末から入力される質問の要求に応じて複数の質問事項をクライアント端末に表示させる質問検索部と、それらの質問事項に対する複数の回答を表す回答データに基づいて、被検者がうつ病に該当する可能性、及び、被検者がうつ病に該当する場合にはうつ病の重症度を判定すると共に、他の精神疾患の可能性を判定して判定結果をクライアント端末に表示させ、被検者が軽症のうつ病に該当し、かつ、他の精神疾患が無いと判定した場合に、治療法データベースから病状特定データに関連付けられた治療法データを読み出すことにより、被検者の病状に応じて被検者に処方すべき治療薬を特定した軽症のうつ病の治療法をクライアント端末に表示させる疾患判定部とを備える。【選択図】図１
2019032862.tif 000002
【特許請求の範囲】
【請求項１】
医師が行う精神科医療を補助するために、ネットワークを介して接続される少なくとも１つのクライアント端末と共に用いられる精神科医療補助サーバーであって、
前記ネットワークを介して前記少なくとも１つのクライアント端末と前記精神科医療補助サーバーとの間の接続処理を行うネットワーク接続部と、
前記少なくとも１つのクライアント端末から前記ネットワークを介してデータを入力するデータ入力部と、
前記ネットワークを介して前記少なくとも１つのクライアント端末にデータを出力するデータ出力部と、
被検者に対する複数の質問事項を表す質問データを格納する質問データベースと、
クライアント端末から前記データ入力部によって入力される質問の要求に応じて、前記質問データベースから少なくとも一部の質問データを読み出し、前記データ出力部が前記質問データを前記クライアント端末に出力することにより、複数の質問事項を前記クライアント端末の表示部に表示させる質問検索部と、
軽症のうつ病の複数の病状から少なくとも１つの病状を選んで得られる全ての組合せについて、前記複数の病状の有無を表す病状特定データと治療薬を特定した軽症のうつ病の治療法を表す治療法データとを関連付けて格納する治療法データベースと、
前記クライアント端末の表示部に表示される複数の質問事項に対する複数の回答を表し、前記クライアント端末から前記データ入力部によって入力される回答データに基づいて、被検者がうつ病に該当する可能性、及び、被検者がうつ病に該当する場合にはうつ病の重症度を判定すると共に、他の精神疾患の可能性を判定し、判定結果を表す判定結果データを生成して、前記データ出力部が前記判定結果データを前記クライアント端末に出力することにより、判定結果を前記クライアント端末の表示部に表示させ、さらに、被検者が軽症のうつ病に該当し、かつ、他の精神疾患が無いと判定した場合に、前記回答データに基づいて、被検者における前記複数の病状の有無を特定する病状特定データを生成し、前記治療法データベースから前記病状特定データに関連付けられた治療法データを読み出して、前記データ出力部が前記治療法データを前記クライアント端末に出力することにより、被検者の病状に応じて被検者に処方すべき治療薬を特定した軽症のうつ病の治療法を前記クライアント端末の表示部に表示させる疾患判定部と、
を備える精神科医療補助サーバー。
【請求項２】
被検者の種類を表す被検者分類データに関連付けて、質問データのグループを特定する少なくとも１つのグループＩＤコードを格納するグループ特定テーブルをさらに備え、
前記質問データベースが、複数のグループＩＤコードに関連付けて、複数のグループの質問データを格納し、
前記クライアント端末から前記データ入力部によって入力される質問の要求が、被検者分類データを含み、
前記質問検索部が、質問の要求に含まれている被検者分類データに関連付けられたグループＩＤコードを前記グループ特定テーブルから読み出し、読み出されたグループＩＤコードに関連付けられたグループの質問データを前記質問データベースから読み出す、
請求項１記載の精神科医療補助サーバー。
【請求項３】
前記質問データベースが、特定の質問事項を表す質問データに関連付けて、被検者がうつ病に該当するか否かを判定するために用いられる閾値を表す閾値データ、及び、うつ病の重症度を表す重症度データを格納し、
前記疾患判定部が、前記特定の質問事項に対する択一的な回答を数値で表す回答データの値が前記閾値データによって表される閾値以上である場合に、被検者がうつ病に該当すると判定し、前記重症度データに従ってうつ病の重症度を判定する、
請求項１又は２記載の精神科医療補助サーバー。
【請求項４】
前記疾患判定部が、少なくとも１つのグループの質問事項に対する択一的な回答を数値で表す回答データの値を合計して合計値を求め、前記合計値に基づいて、被検者が軽症のうつ病に該当する可能性を判定する、請求項１又は２記載の精神科医療補助サーバー。
【請求項５】
前記質問データベースが、１つ又は複数の特定の質問事項を表す質問データに関連付けて、他の精神疾患が有るか無いかを判定するために用いられる閾値を表す閾値データを格納し、
前記疾患判定部が、前記１つ又は複数の特定の質問事項に対する択一的な回答を数値で表す回答データの値又は合計値が前記閾値データによって表される閾値以上である場合に、他の精神疾患が有ると判定する、
請求項１〜４のいずれか１項記載の精神科医療補助サーバー。
【請求項６】
前記疾患判定部が、複数の特定の質問事項に対する複数の回答を表す回答データを比較することにより、回答の信頼性を判定する、請求項１〜５のいずれか１項記載の精神科医療補助サーバー。
【請求項７】
前記治療法データベースが、うつ病に対する治療薬及びその服用時期を特定する治療法データを格納する、請求項１〜６のいずれか１項記載の精神科医療補助サーバー。
【請求項８】
前記質問データベースが、被検者に対する複数の質問事項を表す質問データに関連付けて、軽症のうつ病に特有の複数の病状を表す病状データを格納し、
前記疾患判定部が、被検者が軽症のうつ病に該当し、かつ、他の精神疾患が無いと判定した場合に、前記質問データによって表される複数の質問事項に対する複数の回答を表す回答データに基づいて、被検者の病状を表す病状データを前記質問データベースから抽出し、抽出された病状データを特定する病状特定データを生成する、
請求項１〜７のいずれか１項記載の精神科医療補助サーバー。
【請求項９】
前記少なくとも１つのクライアント端末を利用する会員に関する会員データを蓄積する会員データベースと、
クライアント端末から前記データ入力部によって会員登録希望者に関する情報が入力された際に、入力された情報を含む会員データを前記会員データベースに登録すると共に、クライアント端末から前記データ入力部によって会員を特定する会員特定情報が入力された際に、前記会員特定情報が前記会員データベースに登録されている場合に、前記会員からのアクセスを認証する会員管理部と、
をさらに備える、請求項１〜８のいずれか１項記載の精神科医療補助サーバー。
【請求項１０】
被検者に関する患者データを蓄積する患者データベースと、
クライアント端末から前記データ入力部によって被検者を特定する被検者特定情報を含む患者データが入力された際に、前記被検者特定情報が前記患者データベースに登録されていない場合に、前記被検者特定情報を含む患者データを前記患者データベースに登録する患者管理部と、
をさらに備える、請求項１〜９のいずれか１項記載の精神科医療補助サーバー。
【請求項１１】
請求項１〜１０のいずれか１項記載の精神科医療補助サーバーと、
質問の要求を前記精神科医療補助サーバーに送信することにより、前記精神科医療補助サーバーから質問データを受信して、複数の質問事項を表示部に表示すると共に、前記表示部に表示される複数の質問事項に対する複数の回答を表す回答データを前記精神科医療補助サーバーに送信して、前記精神科医療補助サーバーから受信される判定結果データに基づいて判定結果を前記表示部に表示し、さらに、前記精神科医療補助サーバーから治療法データを受信した場合に、前記治療法データに基づいて軽症のうつ病の治療法を前記表示部に表示する少なくとも１つのクライアント端末と、
を備える精神科医療補助システム。
【請求項１２】
医師が行う精神科医療を補助するための精神科医療補助方法であって、
質問検索部が、クライアント端末からデータ入力部によって入力される質問の要求に応じて、被検者に対する複数の質問事項を表す質問データを格納する質問データベースから少なくとも一部の質問データを読み出し、データ出力部が前記質問データを前記クライアント端末に出力することにより、複数の質問事項を前記クライアント端末の表示部に表示させるステップ（ａ）と、
疾患判定部が、前記クライアント端末の表示部に表示される複数の質問事項に対する複数の回答を表し、前記クライアント端末から前記データ入力部によって入力される回答データに基づいて、被検者がうつ病に該当する可能性、及び、被検者がうつ病に該当する場合にはうつ病の重症度を判定すると共に、他の精神疾患の可能性を判定し、判定結果を表す判定結果データを生成して、前記データ出力部が前記判定結果データを前記クライアント端末に出力することにより、判定結果を前記クライアント端末の表示部に表示させるステップ（ｂ）と、
前記疾患判定部が、軽症のうつ病の複数の病状から少なくとも１つの病状を選んで得られる全ての組合せについて、前記複数の病状の有無を表す病状特定データと治療薬を特定した軽症のうつ病の治療法を表す治療法データとを関連付けて格納する治療法データベースを用いることにより、被検者が軽症のうつ病に該当し、かつ、他の精神疾患が無いと判定した場合に、前記回答データに基づいて、被検者における前記複数の病状の有無を特定する病状特定データを生成し、前記治療法データベースから前記病状特定データに関連付けられた治療法データを読み出して、前記データ出力部が前記治療法データを前記クライアント端末に出力することにより、被検者の病状に応じて被検者に処方すべき治療薬を特定した軽症のうつ病の治療法を前記クライアント端末の表示部に表示させるステップ（ｃ）と、
を備える精神科医療補助方法。
【請求項１３】
医師が行う精神科医療を補助するための精神科医療補助サーバーにおいて用いられる精神科医療補助プログラムであって、
クライアント端末から入力される質問の要求に応じて、被検者に対する複数の質問事項を表す質問データを格納する質問データベースから少なくとも一部の質問データを読み出して前記クライアント端末に出力することにより、複数の質問事項を前記クライアント端末の表示部に表示させる手順（ａ）と、
前記クライアント端末の表示部に表示される複数の質問事項に対する複数の回答を表し、前記クライアント端末から入力される回答データに基づいて、被検者がうつ病に該当する可能性、及び、被検者がうつ病に該当する場合にはうつ病の重症度を判定すると共に、他の精神疾患の可能性を判定し、判定結果を表す判定結果データを生成して前記クライアント端末に出力することにより、判定結果を前記クライアント端末の表示部に表示させる手順（ｂ）と、
軽症のうつ病の複数の病状から少なくとも１つの病状を選んで得られる全ての組合せについて、前記複数の病状の有無を表す病状特定データと治療薬を特定した軽症のうつ病の治療法を表す治療法データとを関連付けて格納する治療法データベースを用いることにより、被検者が軽症のうつ病に該当し、かつ、他の精神疾患が無いと判定した場合に、前記回答データに基づいて、被検者における前記複数の病状の有無を特定する病状特定データを生成し、前記治療法データベースから前記病状特定データに関連付けられた治療法データを読み出して前記クライアント端末に出力することにより、被検者の病状に応じて被検者に処方すべき治療薬を特定した軽症のうつ病の治療法を前記クライアント端末の表示部に表示させる手順（ｃ）と、
をＣＰＵに実行させるための精神科医療補助プログラム。
【発明の詳細な説明】
【技術分野】
【０００１】
本発明は、医師が行う精神科医療を補助するための精神科医療補助システムに関し、特に、精神科医療を専門としない医師が精神科医療を行う際に診断及び／又は治療を補助するための精神科医療補助システムに関する。さらに、本発明は、そのような精神科医療補助システムにおいて用いられる精神科医療補助サーバー、精神科医療補助方法、及び、精神科医療補助プログラムに関する。
【背景技術】
【０００２】
現代のストレス社会において年々増加するうつ病を中心とする精神疾患は、５大疾病の１つとされており、膨大な人的、経済的、国家的損失を生み出している。このような状況に対処するために、全ての医師が総力を挙げて、うつ病を中心とする精神疾患に立ち向かうことが、今や国家的責務となっている。以下に、精神科医療の現状について説明する。
【０００３】
初診で精神科や心療内科を直接受診するうつ病の患者は、うつ病患者全体の２割程度に過ぎず、うつ病患者全体の８割は、精神科医療を専門としない医師を受診することが、調査の結果から分かっている。しかしながら、精神科医療を専門としない医師にとって、問診だけでうつ病及びその他の精神疾患を鑑別診断することは非常に困難であり、診断ミスや医療過誤を生じる可能性が十分に予見される。
【０００４】
また、精神科医療の専門医でない医師（非専門医）にとって、うつ病の重症度の判定を問診だけの診察で行うことは、なおさら困難を伴う。さらに、そのことにより、重症患者を誤診し、患者の自死を招く事例も多く、この問題は、患者及び医師の双方にとって絶対に避けなければならない問題である。
【０００５】
加えて、軽症のうつ病と診断された患者を非専門医が治療できれば、専門医受診よりも医療費削減効果が十分に期待できる。その効果は、年間３，０００億円以上と概算できる。さらに、精神科医療を補助するために有効なシステムを実現できれば、そのシステムを使用することにより、患者と医師との間の信頼性の増加や、医師間におけるコミュニケーション不足の解消や、医療技術の向上が期待できる。
【０００６】
関連する技術として、特許文献１には、客観的に、かつ、簡便に、精神疾患の有無を診断することが可能な精神疾患診断装置及びプログラムが開示されている。この精神疾患診断装置は、被診断者の心電を測定する心電測定手段と、被診断者に対する負荷試験を指示する指示手段と、心電測定手段により測定された心電データに基づいて、心電図Ｒ−Ｒ間隔（心電波形のＲ波の頂点の間隔）変動係数を算出するＣＶＲＲ算出手段と、ＣＶＲＲ算出手段により算出された負荷試験後の心電図Ｒ−Ｒ間隔変動係数の値が、負荷試験前の心電図Ｒ−Ｒ間隔変動係数の値よりも小さい場合に、精神疾患の可能性があると判定する判定手段と、判定手段における判定結果を表示する表示手段とを備えている。
【０００７】
特許文献１によれば、測定された被診断者の心電データに基づいて算出された負荷試験前後の心電図Ｒ−Ｒ間隔変動係数の値の大小の比較から精神疾患の有無を判定するので、客観的に、かつ、簡便に、精神疾患の有無を診断することができる。しかしながら、心電図Ｒ−Ｒ間隔変動係数の値の変化と精神疾患の有無との相関が十分に高くなければ、判定結果の信頼性が疑わしいものとなってしまう。また、問診が行われないので、精神疾患の有無を判定しても、診断結果を実際の治療に役立てることは困難である。
【先行技術文献】
【特許文献】
【０００８】
【特許文献１】特開２０１２−４５１６２号公報（段落０００９−００１１、図１）
【発明の概要】
【発明が解決しようとする課題】
【０００９】
そこで、上記の点に鑑み、本発明の第１の目的は、精神科医療の専門医でない医師（非専門医）であってもうつ病を診断することを可能にする精神科医療補助システムを提供することである。また、本発明の第２の目的は、被検者が軽症のうつ病に該当し、他の精神疾患の可能性が低いと診断された場合に、非専門医であっても軽症のうつ病を治療することを容易にする精神科医療補助システムを提供することである。さらに、本発明の第３の目的は、そのような精神科医療補助システムにおいて用いられる精神科医療補助サーバー、精神科医療補助方法、及び、精神科医療補助プログラムを提供することである。
【課題を解決するための手段】
【００１０】
以上の課題の少なくとも一部を解決するため、本発明の１つの観点に係る精神科医療補助サーバーは、医師が行う精神科医療を補助するために、ネットワークを介して接続される少なくとも１つのクライアント端末と共に用いられる精神科医療補助サーバーであって、前記ネットワークを介して前記少なくとも１つのクライアント端末と前記精神科医療補助サーバーとの間の接続処理を行うネットワーク接続部と、前記少なくとも１つのクライアント端末から前記ネットワークを介してデータを入力するデータ入力部と、前記ネットワークを介して前記少なくとも１つのクライアント端末にデータを出力するデータ出力部と、被検者に対する複数の質問事項を表す質問データを格納する質問データベースと、クライアント端末から前記データ入力部によって入力される質問の要求に応じて、前記質問データベースから少なくとも一部の質問データを読み出し、前記データ出力部が前記質問データを前記クライアント端末に出力することにより、複数の質問事項を前記クライアント端末の表示部に表示させる質問検索部と、軽症のうつ病の複数の病状から少なくとも１つの病状を選んで得られる全ての組合せについて、前記複数の病状の有無を表す病状特定データと治療薬を特定した軽症のうつ病の治療法を表す治療法データとを関連付けて格納する治療法データベースと、前記クライアント端末の表示部に表示される複数の質問事項に対する複数の回答を表し、前記クライアント端末から前記データ入力部によって入力される回答データに基づいて、被検者がうつ病に該当する可能性、及び、被検者がうつ病に該当する場合にはうつ病の重症度を判定すると共に、他の精神疾患の可能性を判定し、判定結果を表す判定結果データを生成して、前記データ出力部が前記判定結果データを前記クライアント端末に出力することにより、判定結果を前記クライアント端末の表示部に表示させ、さらに、被検者が軽症のうつ病に該当し、かつ、他の精神疾患が無いと判定した場合に、前記回答データに基づいて、被検者における前記複数の病状の有無を特定する病状特定データを生成し、前記治療法データベースから前記病状特定データに関連付けられた治療法データを読み出して、前記データ出力部が前記治療法データを前記クライアント端末に出力することにより、被検者の病状に応じて被検者に処方すべき治療薬を特定した軽症のうつ病の治療法を前記クライアント端末の表示部に表示させる疾患判定部とを備える。
【００１１】
本発明の１つの観点に係る精神科医療補助システムは、本発明のいずれかの観点に係る精神科医療補助サーバーと、質問の要求を前記精神科医療補助サーバーに送信することにより、前記精神科医療補助サーバーから質問データを受信して、複数の質問事項を表示部に表示すると共に、前記表示部に表示される複数の質問事項に対する複数の回答を表す回答データを前記精神科医療補助サーバーに送信して、前記精神科医療補助サーバーから受信される判定結果データに基づいて判定結果を前記表示部に表示し、さらに、前記精神科医療補助サーバーから治療法データを受信した場合に、前記治療法データに基づいて軽症のうつ病の治療法を前記表示部に表示する少なくとも１つのクライアント端末とを備える。
【００１２】
本発明の１つの観点に係る精神科医療補助方法は、医師が行う精神科医療を補助するための精神科医療補助方法であって、質問検索部が、クライアント端末からデータ入力部によって入力される質問の要求に応じて、被検者に対する複数の質問事項を表す質問データを格納する質問データベースから少なくとも一部の質問データを読み出し、データ出力部が前記質問データを前記クライアント端末に出力することにより、複数の質問事項を前記クライアント端末の表示部に表示させるステップ（ａ）と、疾患判定部が、前記クライアント端末の表示部に表示される複数の質問事項に対する複数の回答を表し、前記クライアント端末から前記データ入力部によって入力される回答データに基づいて、被検者がうつ病に該当する可能性、及び、被検者がうつ病に該当する場合にはうつ病の重症度を判定すると共に、他の精神疾患の可能性を判定し、判定結果を表す判定結果データを生成して、前記データ出力部が前記判定結果データを前記クライアント端末に出力することにより、判定結果を前記クライアント端末の表示部に表示させるステップ（ｂ）と、前記疾患判定部が、軽症のうつ病の複数の病状から少なくとも１つの病状を選んで得られる全ての組合せについて、前記複数の病状の有無を表す病状特定データと治療薬を特定した軽症のうつ病の治療法を表す治療法データとを関連付けて格納する治療法データベースを用いることにより、被検者が軽症のうつ病に該当し、かつ、他の精神疾患が無いと判定した場合に、前記回答データに基づいて、被検者における前記複数の病状の有無を特定する病状特定データを生成し、前記治療法データベースから前記病状特定データに関連付けられた治療法データを読み出して、前記データ出力部が前記治療法データを前記クライアント端末に出力することにより、被検者の病状に応じて被検者に処方すべき治療薬を特定した軽症のうつ病の治療法を前記クライアント端末の表示部に表示させるステップ（ｃ）とを備える。
【００１３】
本発明の１つの観点に係る精神科医療補助プログラムは、医師が行う精神科医療を補助するための精神科医療補助サーバーにおいて用いられる精神科医療補助プログラムであって、クライアント端末から入力される質問の要求に応じて、被検者に対する複数の質問事項を表す質問データを格納する質問データベースから少なくとも一部の質問データを読み出して前記クライアント端末に出力することにより、複数の質問事項を前記クライアント端末の表示部に表示させる手順（ａ）と、前記クライアント端末の表示部に表示される複数の質問事項に対する複数の回答を表し、前記クライアント端末から入力される回答データに基づいて、被検者がうつ病に該当する可能性、及び、被検者がうつ病に該当する場合にはうつ病の重症度を判定すると共に、他の精神疾患の可能性を判定し、判定結果を表す判定結果データを生成して前記クライアント端末に出力することにより、判定結果を前記クライアント端末の表示部に表示させる手順（ｂ）と、軽症のうつ病の複数の病状から少なくとも１つの病状を選んで得られる全ての組合せについて、前記複数の病状の有無を表す病状特定データと治療薬を特定した軽症のうつ病の治療法を表す治療法データとを関連付けて格納する治療法データベースを用いることにより、被検者が軽症のうつ病に該当し、かつ、他の精神疾患が無いと判定した場合に、前記回答データに基づいて、被検者における前記複数の病状の有無を特定する病状特定データを生成し、前記治療法データベースから前記病状特定データに関連付けられた治療法データを読み出して前記クライアント端末に出力することにより、被検者の病状に応じて被検者に処方すべき治療薬を特定した軽症のうつ病の治療法を前記クライアント端末の表示部に表示させる手順（ｃ）とをＣＰＵに実行させる。
【発明の効果】
【００１４】
本発明の１つの観点によれば、クライアント端末から入力される質問の要求に応じて、質問データベースに格納されている質問データの内から少なくとも一部の質問データを読み出し、複数の質問事項をクライアント端末の表示部に表示させて、それらの質問事項に対する複数の回答を表す回答データに基づいて、被検者がうつ病に該当する可能性、及び、被検者がうつ病に該当する場合にはうつ病の重症度を判定すると共に、他の精神疾患の可能性を判定するようにしたので、精神科医療の専門医でない医師であってもうつ病を診断することが可能になる。また、被検者が軽症のうつ病に該当し、他の精神疾患が無いと判定した場合に、被検者の病状に応じて被検者に処方すべき治療薬を特定した軽症のうつ病の治療法をクライアント端末に表示させるようにしたので、非専門医であっても軽症のうつ病を治療することが容易になる。
【図面の簡単な説明】
【００１５】
【図１】本発明の一実施形態に係る精神科医療補助システムの構成例を示す図。
【図２】図１に示す精神科医療補助サーバーの構成例を示すブロック図。
【図３】質問データベースに格納されているデータの例を示す図。
【図４】グループ特定テーブルに格納されているデータの例を示す図。
【図５】クライアント端末の表示部に表示される質問事項の例を示す図。
【図６】クライアント端末の表示部に表示される診断結果の例を示す図。
【図７】治療法データベースに格納されているデータの例を示す図。
【図８】クライアント端末の表示部に表示される治療法の例を示す図。
【図９】本発明の一実施形態に係る精神科医療補助方法を示すフローチャート。
【発明を実施するための形態】
【００１６】
以下、本発明の実施形態について、図面を参照しながら詳細に説明する。
＜システムの概要＞
図１は、本発明の一実施形態に係る精神科医療補助システムの構成例を示す図である。図１に示すように、この精神科医療補助システムは、例えば、精神科医療の専門医でない内科等の医師（以下においては、単に「医師」という）が診療所や病院等において使用する少なくとも１つのクライアント端末１と、医師が行う精神科医療を補助するためにデータセンター等に設置されたファイアウォール（ＦＷ）２及び精神科医療補助サーバー３とを備えている。
【００１７】
クライアント端末１としては、インターネットに接続可能なスマートフォン、タブレット端末、又は、パーソナル・コンピューター等を使用することができる。クライアント端末１は、質問の要求や質問に対する回答等を入力するために用いられる操作部と、操作画面や質問画面や判定結果画面等の画像を表示する表示部とを含んでいる。以下においては、クライアント端末１としてタブレット端末を用いる場合を一例として説明する。
【００１８】
データセンター等においては、不正アクセスを防止するためのファイアウォール２がインターネットに接続され、ファイアウォール２と精神科医療補助サーバー３とが、ＬＡＮ（ローカルエリア・ネットワーク）を介して互いに接続されている。これにより、必要に応じて、クライアント端末１を、インターネット及びＬＡＮを含むネットワークを介して精神科医療補助サーバー３に接続することができる。なお、ファイアウォール２を省略して、クライアント端末１と精神科医療補助サーバー３とが、インターネット等のネットワークを介して通信を行うようにしても良い。
【００１９】
例えば、診療所、病院、企業、又は、学校等において、初診の被検者の受付を行う際に、事務員等のオペレーターが、クライアント端末１を操作して、質問の要求を精神科医療補助サーバー３に送信する。これにより、クライアント端末１が、精神科医療補助サーバー３から質問データを受信して、複数の質問事項を表示部に表示する。
【００２０】
次に、オペレーターが、クライアント端末１の表示部に表示される質問事項を読み取って、被検者に対して口頭で質問を行い、質問に対する被検者の回答をクライアント端末１に入力しても良いし、被検者が、クライアント端末１の表示部に表示される質問事項を見ながら、回答をクライアント端末１に入力しても良い。
【００２１】
あるいは、医師が、初診において被検者に対面する際に、クライアント端末１を操作して、質問の要求を精神科医療補助サーバー３に送信し、クライアント端末１の表示部に表示される質問事項を読み取って、被検者に対して問診を行い、質問に対する被検者の回答をクライアント端末１に入力しても良い。
【００２２】
いずれにしても、クライアント端末１は、表示部に表示される複数の質問事項に対する複数の回答を表す回答データを精神科医療補助サーバー３に送信し、精神科医療補助サーバー３から受信される判定結果データに基づいて判定結果を表示部に表示する。判定結果において、被検者が軽症のうつ病に該当し、かつ、他の精神疾患が無いと判定された場合には、医師が被検者を治療するようにしても良い。一方、被検者が中程度若しくは重症のうつ病に該当し、又は、他の精神疾患が有ると判定された場合には、被検者に専門医を紹介することが望ましい。
【００２３】
＜サーバーの構成＞
図２は、図１に示す精神科医療補助サーバーの構成例を示すブロック図である。図２に示すように、精神科医療補助サーバー３は、入力部１０と、表示部２０と、入力部１０及び表示部２０が接続されたインターフェース３０と、ネットワークインターフェース４０と、ＣＰＵ（中央演算装置）５０と、メモリー６０と、記録部７０とを含んでいる。インターフェース３０〜記録部７０は、バスラインを介して互いに接続されている。
【００２４】
入力部１０は、キーボードやマウス等によって構成され、各種のデータや命令を入力するために用いられる。表示部２０は、ＬＣＤディスプレイ等によって構成され、入力画面や操作画面等の画像を表示する。インターフェース３０は、デジタル回路やアナログ回路によって構成され、入力部１０を用いて入力されるデータや命令をＣＰＵ５０やメモリー６０に供給し、ＣＰＵ５０によって生成される画像データを表示部２０に供給する。ネットワークインターフェース４０は、デジタル回路やアナログ回路によって構成され、ＣＰＵ５０をＬＡＮ又はインターネット等のネットワークに接続する。
【００２５】
ＣＰＵ５０は、デジタル回路によって構成され、各種の演算やデータ処理を行う。ＣＰＵ５０とソフトウェア（精神科医療補助プログラム）とによって、機能ブロックとしてネットワーク接続部５１〜決済部５９が構成される。メモリー６０は、デジタル回路によって構成され、入力部１０からインターフェース３０を介して供給されるデータや命令、及び、ＣＰＵ５０によって生成又は処理されるデータ等を一時的に記憶する。
【００２６】
記録部７０は、ハードディスクドライブ等によって構成され、各種のデータベースやテーブル、及び、ＣＰＵ５０に動作を行わせるための各種のソフトウェア等を記録媒体に記録する。記録媒体としては、内蔵のハードディスクの他に、外付けハードディスク、フレキシブルディスク、各種のメモリー、ＭＯ、ＭＴ、ＣＤ−ＲＯＭ、又は、ＤＶＤ−ＲＯＭ等を用いることもできる。
【００２７】
記録部７０は、質問データベース７１と、グループ特定テーブル７２と、治療法データベース７３と、会員データベース７４と、患者データベース７５とを記録している。質問データベース７１は、被検者に対する複数の質問事項を表す質問データを格納する。例えば、質問データベース７１は、質問データのグループを特定する複数のグループＩＤコードに関連付けて、複数のグループの質問データを格納する。このように、質問データを複数のグループに分けて格納することにより、傾向が異なる複数の質問グループの内から、被検者の種類に応じた少なくとも１つの質問グループを選択することができる。
【００２８】
グループ特定テーブル７２は、被検者の種類を表す被検者分類データに関連付けて、質問データのグループを特定する少なくとも１つのグループＩＤコードを格納する。治療法データベース７３は、軽症のうつ病の治療法を表す治療法データを格納する。会員データベース７４は、少なくとも１つのクライアント端末１（図１）を利用する会員に関する会員データを蓄積する。患者データベース７５は、被検者に関する患者データを蓄積する。
【００２９】
＜機能ブロックの説明＞
ここで、ＣＰＵ５０と精神科医療補助プログラムとによって構成される機能ブロックについて説明する。
ネットワーク接続部５１は、ネットワークを介して少なくとも１つのクライアント端末１（図１）と精神科医療補助サーバー３との間の接続処理を行う。データ入力部５２は、少なくとも１つのクライアント端末１に入力される質問の要求や複数の質問事項に対する複数の回答を表す回答データ等を、少なくとも１つのクライアント端末１からネットワークを介して入力する。
【００３０】
データ出力部５３は、例えば、ＨＴＴＰ（ハイパーテキスト・トランスファープロトコル）サーバー部やＴＣＰ／ＩＰ（トランスポート制御プロトコル／インターネットプロトコル）制御部等を含み、複数の質問事項を表す質問データや判定結果を表す判定結果データ等を、ＨＴＭＬ（ハイパーテキスト・マークアップランゲージ）ファイル等の形式で、ネットワークを介して少なくとも１つのクライアント端末１に出力する。
【００３１】
質問検索部５４は、クライアント端末１からデータ入力部５２によって入力される質問の要求に応じて質問データベース７１を検索することにより、質問データベース７１に格納されている質問データの内から少なくとも一部の質問データを読み出して、データ出力部５３が質問データをクライアント端末１に出力することにより、複数の質問事項をクライアント端末１の表示部に表示させる。
【００３２】
疾患判定部５５は、クライアント端末１の表示部に表示される複数の質問事項に対する複数の回答を表す回答データを解析することにより、被検者がうつ病に該当する可能性、及び、被検者がうつ病に該当する場合にはうつ病の重症度を判定すると共に、他の精神疾患の可能性を判定し、判定結果を表す判定結果データを生成して、データ出力部５３が判定結果データをクライアント端末１に出力することにより、判定結果をクライアント端末１の表示部に表示させる。ここで、疾患判定部５５は、被検者がうつ病に該当する可能性が所定の値（例えば、５０％）以上である場合に、被検者がうつ病に該当すると判定しても良い。
【００３３】
会員管理部５６は、入会手続きや退会手続きのための管理用ホームページや、会員が精神科医療補助システムを利用するための会員用ホームページ等を管理する。例えば、会員管理部５６は、クライアント端末１からデータ入力部５２によって会員登録希望者に関する情報が入力された際に、入力された情報を含む会員データを会員データベース７４に登録する。
【００３４】
会員登録希望者に関する情報は、会員登録希望者の氏名、住所、生年月日、電話番号、クレジット番号、及び、パスワード等を含んでも良い。会員管理部５６は、会員登録希望者に対して会員ＩＤコードを発行し、会員ＩＤコードを会員登録希望者に通知すると共に、会員データの一部として会員データベース７４に登録する。
【００３５】
また、会員管理部５６は、クライアント端末１からデータ入力部５２によって会員を特定する会員特定情報が入力された際に、入力された会員特定情報を検索キーワードとして用いて会員データベース７４を検索することにより、その会員特定情報が会員データベース７４に登録されている場合に、その会員からのアクセスを認証する。会員特定情報としては、例えば、会員ＩＤコード及びパスワードが該当する。
【００３６】
患者管理部５７は、クライアント端末１からデータ入力部５２によって被検者を特定する被検者特定情報を含む患者データが入力された際に、入力された被検者特定情報を検索キーワードとして用いて患者データベース７５を検索することにより、その被検者特定情報が患者データベース７５に登録されていない場合に、その被検者特定情報を含む患者データを患者データベース７５に登録する。被検者特定情報としては、例えば、患者ＩＤコードが該当する。また、患者データは、被検者特定情報に加えて、被検者の氏名、住所、生年月日、電話番号、健康保険番号、患者の状態、及び、診断履歴等を含んでも良い。
【００３７】
バックエンド部５８は、精神科医療補助システムにおいて用いられる各種のデータのバックアップを行う。また、バックエンド部５８は、精神科医療補助システムの稼働状況を監視して、精神科医療補助システムに障害が発生した場合に警告等を行う。決済部５９は、会員データベース７４に登録されている会員についての決済状況の確認を行う。
【００３８】
＜システムの動作例＞
次に、本実施形態に係る精神科医療補助システムの動作例について、図１及び図２を参照しながら説明する。この動作例においては、診療所等のオペレーターがクライアント端末１を操作する。
【００３９】
オペレーターが、クライアント端末１の操作部を操作することにより、ネットワークを介して精神科医療補助サーバー３にアクセスすると、精神科医療補助サーバー３のデータ出力部５３が、会員用ホームページのログイン画面を表すＨＴＭＬファイル等をクライアント端末１に出力することにより、クライアント端末１にログイン画面が表示される。
【００４０】
オペレーターが、会員ＩＤコード及びパスワードをクライアント端末１に入力すると、クライアント端末１は、ネットワークを介して精神科医療補助サーバー３に会員ＩＤコード及びパスワードを送信する。精神科医療補助サーバー３の会員管理部５６は、クライアント端末１からデータ入力部５２によって入力された会員ＩＤコード及びパスワードに基づいて、クライアント端末１からのアクセスを認証する。
【００４１】
アクセスが認証されると、データ出力部５３が、会員用ホームページの操作画面を表すＨＴＭＬファイル等をクライアント端末１に出力することにより、クライアント端末１に操作画面が表示される。オペレーター等が、クライアント端末１の操作部を操作して質問を要求すると、クライアント端末１は、ネットワークを介して精神科医療補助サーバー３に質問の要求を送信する。
【００４２】
精神科医療補助サーバー３の質問検索部５４は、クライアント端末１からデータ入力部５２によって入力される質問の要求に応じて質問データベース７１を検索することにより、質問データベース７１に格納されている質問データの内から少なくとも一部の質問データを読み出す。以下においては、質問データベース７１が質問データを複数のグループに分けて格納する場合について説明する。
【００４３】
図３は、質問データベースに格納されているデータの例を示す図である。図３に示す質問データベースには、質問データのグループを特定するグループＩＤコード（Ａ、Ｂ、・・・）と、質問番号（１、２、３、４、・・・）と、被検者に対する質問事項を表す質問データと、被検者がうつ病に該当するか否かを判定するために用いられる閾値を表す閾値データと、うつ病の重症度を表す重症度データと、質問事項によって判定される病状を表す病状データとが、互いに関連付けて格納されている。各々の質問事項は、質問の内容と、その質問に対する回答の選択肢とを含んでいる。
【００４４】
例えば、図３に示す質問データベースには、うつ病の診断のために用いられる複数のグループの質問データと、他の精神疾患の診断のために用いられる複数のグループの質問データとが格納されている。その場合に、質問検索部５４は、うつ病の診断のために用いられる少なくとも１つのグループの質問データと、他の精神疾患の診断のために用いられる少なくとも１つのグループの質問データとを読み出すことが望ましい。
【００４５】
この例において、質問データのグループは、被検者の種類に応じて選択される。被検者の種類は、例えば、診療所や病院の患者と、企業において行われるストレステスト等の対象となる企業人と、学生や家庭の主婦等の一般人（患者でも企業人でもない人）とに分けることができる。クライアント端末１からデータ入力部５２によって入力される質問の要求は、被検者の種類を表す被検者分類データを含んでいる。
【００４６】
図４は、グループ特定テーブルに格納されているデータの例を示す図である。図４に示すグループ特定テーブルには、被検者の種類を表す被検者分類データ（ＫＲ：患者、ＢＵ：企業人、ＧＰ：一般人）と、質問グループを特定する少なくとも１つのグループＩＤコード（Ａ、Ｂ、・・・）とが、互いに関連付けて格納されている。
【００４７】
質問検索部５４は、質問の要求に含まれている被検者分類データに関連付けられたグループＩＤコードをグループ特定テーブル７２から読み出し、読み出されたグループＩＤコードを検索キーワードとして用いて質問データベース７１を検索することにより、そのグループＩＤコードに関連付けられたグループの質問番号及び質問データを読み出す。
【００４８】
データ出力部５３は、質問検索部５４によって読み出されたグループの質問番号及び質問データを含むＨＴＭＬファイルをクライアント端末１に出力する。これにより、クライアント端末１は、精神科医療補助サーバー３からネットワークを介してＨＴＭＬファイルを受信して、複数の質問事項を質問番号と共に表示部に表示する。
【００４９】
図５は、クライアント端末の表示部に表示される質問事項の例を示す図である。この例においては、クライアント端末１の表示部がタッチパネルになっていて、操作部を兼ねている。図５に示すように、クライアント端末１の表示部には、質問番号「１」と、質問の内容「朝いつもより早く目が覚める」と、その質問に対する回答の選択肢「（１）いつもある、（２）しばしばある、（３）ときどきある、（４）ない」とが表示されている。
【００５０】
オペレーターが、クライアント端末１の表示部に表示されている質問事項を読み取って、被検者に対して口頭で質問を行い、被検者の回答に基づいて、クライアント端末１の表示部に表示されている回答の選択肢の内から選択された１つの選択肢にタッチすると、その回答を表す回答データがクライアント端末１に入力される。
【００５１】
次に、オペレーターは、クライアント端末１の表示部における表示画面をスライドさせることにより、クライアント端末１の表示部に、質問番号「２」の質問事項を表示させる。このようにして、オペレーターは、クライアント端末１の表示部に表示される複数の質問事項に対してそれぞれの回答を入力する。オペレーターが、全ての質問事項に対する回答の入力を完了して、クライアント端末１の表示部に表示される「完了」ボタンにタッチすると、クライアント端末１は、複数の質問事項に対する複数の回答を表す回答データを、ネットワークを介して精神科医療補助サーバー３に送信する。
【００５２】
精神科医療補助サーバー３の疾患判定部５５は、クライアント端末１からデータ入力部５２によって入力される回答データを解析する。これにより、疾患判定部５５は、被検者がうつ病に該当する可能性、及び、被検者がうつ病に該当する場合にはうつ病の重症度を判定すると共に、他の精神疾患の可能性を判定し、判定結果を表す判定結果データを生成する。
【００５３】
データ出力部５３は、疾患判定部５５によって生成された判定結果データを含むＨＴＭＬファイルをクライアント端末１に出力する。これにより、クライアント端末１は、精神科医療補助サーバー３からネットワークを介して受信されるＨＴＭＬファイルに基づいて、判定結果（診断結果）を表示部に表示する。
【００５４】
図６は、クライアント端末の表示部に表示される診断結果の例を示す図である。図６に示すように、クライアント端末１の表示部に表示される診断結果において、「うつ病」の欄の「軽症」が強調表示されている。これは、被検者がうつ病に該当し、うつ病の重症度が軽症であると診断されたことを表している。また、「他の精神疾患との鑑別」の欄の「１．統合失調症」、「２．不安障害」、「３．双極性気分障害」、及び、「４．てんかん」について、「無」が強調表示されている。これは、それらの精神疾患が無いと診断されたことを表している。
【００５５】
＜診断の具体例＞
次に、本実施形態に係る精神科医療補助システムによる診断の具体例について、図１及び図２を参照しながら説明する。
この例においては、複数の質問事項が次のグループＡ〜Ｌに分けられている。
Ａ：うつ病の可能性及び重症度を判定するための質問事項
Ｂ：性格分析に基づいて軽症のうつ病を判定するための質問事項
Ｃ：ＴＡ（交流分析）に基づいて軽症のうつ病を判定するための質問事項
Ｄ：統合失調症との鑑別を行うための質問事項
Ｅ：不安障害（全般性不安障害）との鑑別を行うための質問事項
Ｆ：不安障害（パニック障害）との鑑別を行うための質問事項
Ｇ：不安障害（社交不安障害）との鑑別を行うための質問事項
Ｈ：双極性気分障害との鑑別を行うための質問事項
Ｉ：てんかんとの鑑別を行うための質問事項
Ｊ：アルコール依存症との鑑別を行うための質問事項
Ｋ：摂食障害との鑑別を行うための質問事項
Ｌ：職業性ストレスを調査するための質問事項
【００５６】
図４に示すように、被検者の種類に応じて質問グループを設定することにより、被検者にとって必要性が高い質問事項を選択することができる。例えば、グループＣの質問事項は、企業人及び一般人にとって必要性が高いが、診療所や病院の患者にとっては必要性が低い。また、グループＬの質問事項は、企業人にとって必要性が高いが、患者及び一般人にとっては必要性が低い。
【００５７】
＜グループＡの質問事項及び疾患判定＞
グループＡの幾つかの質問の内容は、以下に示すものである。
１．朝いつもより早く目が覚める、目覚めの気分も良くない
２．夜中に目が覚める事が多くなった
３．朝刊をいつものように読めなくなってきた
４．この世から消えてしまいたいと思うようになってきた
（中略）
２５．「ゆううつ感」「不安感」「おっくう感」がすべてある
（中略）
３３．「不安感」「おっくう感」を伴うゆううつな気分がある
（後略）
【００５８】
グループＡの質問に対する回答として、以下の４つの選択肢の内から１つの選択肢が選択される。それらの選択肢には、それぞれの点数が設定されており、回答データは、グループＡの質問事項に対する択一的な回答を数値で表すものとなる。
（１）いつもある（３点）
（２）しばしばある（２点）
（３）ときどきある（１点）
（４）ない（０点）
【００５９】
質問データベース７１は、特定の質問事項を表す質問データに関連付けて、被検者がうつ病に該当するか否かを判定するために用いられる閾値を表す閾値データ、及び、うつ病の重症度を表す重症度データを格納している。例えば、図３に示す質問データベースには、質問番号１〜３の質問事項を表す質問データに関連付けて、閾値データ「１」及び重症度データ「１」が格納されている。また、質問番号４の質問事項を表す質問データに関連付けて、閾値データ「２」及び重症度データ「３」が格納されている。
【００６０】
ここで、閾値データ「１」は、回答「ときどきある」の１点に対応しており、閾値データ「２」は、回答「しばしばある」の２点に対応しており、閾値データ「３」は、回答「いつもある」の３点に対応している。また、重症度データ「１」は軽症を表し、重症度データ「２」は中程度を表し、重症度データ「３」は重症を表している。
【００６１】
疾患判定部５５は、クライアント端末１からデータ入力部５２によって特定の質問事項に対する回答データが入力されると、対応する閾値データ及び重症度データを質問データベース７１において参照することにより、特定の質問事項に対する択一的な回答を数値で表す回答データの値が閾値データによって表される閾値以上である場合に、被検者がうつ病に該当すると判定し、重症度データに従ってうつ病の重症度を判定する。
【００６２】
例えば、疾患判定部５５は、質問番号１〜３の内のいずれか１つの質問事項に対する回答データの値が閾値「１」以上である場合に、被検者がうつ病に該当する可能性が５０％以上であり、被検者がうつ病に該当すると判定し、重症度データ「１」に従って、うつ病の重症度が軽症であると判定する。一方、疾患判定部５５は、質問番号１〜３の内の全ての質問事項に対する回答データの値が閾値「１」よりも小さい（「０」である）場合に、被検者がうつ病に該当する可能性が５０％よりも低く、被検者がうつ病に該当しないと判定する。
【００６３】
また、疾患判定部５５は、質問番号４の質問事項に対する回答データの値が閾値「２」以上である場合に、被検者がうつ病に該当する可能性が７０％以上であり、被検者がうつ病に該当すると判定し、重症度データ「３」に従って、うつ病の重症度が重症であると判定する。なお、グループＡの複数の質問事項について、被検者がうつ病に該当する可能性又はうつ病の重症度に関して異なる判定結果が得られた場合に、疾患判定部５５は、高い可能性又は高い重症度を示す判定結果を優先して採用しても良い。
【００６４】
さらに、疾患判定部５５は、複数の特定の質問事項に対する複数の回答を表す回答データを比較することにより、回答の信頼性を判定するようにしても良い。例えば、疾患判定部５５は、質問番号２５の質問事項に対する回答データの値と質問番号３３の質問事項に対する回答データの値とを比較して、両者が一致すれば回答の信頼性が高いと判定し、両者の差の絶対値が「１」であれば回答の信頼性が中程度であると判定し、両者の差の絶対値が「２」であれば回答の信頼性が低いと判定し、両者の差の絶対値が「３」であれば回答の信頼性が無いと判定する。その場合に、疾患判定部５５は、クライアント端末１の表示部に表示される診断結果において信頼性の判定結果も表示されるように判定結果データを生成しても良い。
【００６５】
＜グループＢの質問事項及び疾患判定＞
グループＢの幾つかの質問の内容は、以下に示すものである。
３５．几帳面な性格だと思う
３６．対人関係は円満でありたい
３７．仕事は大好きだ
３８．物事は徹底的にやるのが好きだ
（中略）
４８．清潔好きだと思う
【００６６】
グループＢの質問に対する回答として、以下の３つの選択肢の内から１つの選択肢が選択される。それらの選択肢には、それぞれの点数が設定されており、回答データは、グループＢの質問事項に対する択一的な回答を数値で表すものとなる。
（１）はい（２点）
（２）どちらでもない（１点）
（３）いいえ（０点）
【００６７】
疾患判定部５５は、グループＢの質問事項に対する択一的な回答を数値で表す回答データの値を合計して合計値を求め、合計値に基づいて、被検者が軽症のうつ病に該当する可能性を判定する。例えば、被検者が軽症のうつ病に該当する可能性（確率）Ｐは、グループＢに属するＮ個の質問事項に対する回答データの値の合計値Ｓに基づいて、次式（１）によって算出される。
Ｐ（％）＝１００×Ｓ／（２Ｎ）・・・（１）
【００６８】
ここで、疾患判定部５５は、式（１）によって算出された確率Ｐが５０％以上である場合に、被検者が軽症のうつ病に該当すると判定しても良い。また、疾患判定部５５は、式（１）によって算出された確率Ｐが５０％よりも低い場合に、被検者が軽症のうつ病に該当しないと判定しても良い。
【００６９】
グループＣの質問事項は、ＴＡ（交流分析）に基づいて軽症のうつ病を判定するためのものである。例えば、ＣＰ（Critical Parent）、ＮＰ（Nurturing Parent）、Ａ（Adult）、ＦＣ（Free Child）、ＡＣ（Adapted Child）の傾向を分析するための複数群の質問事項に対する回答のエゴグラムパターンに基づいて、疾患判定部５５が、被検者が軽症のうつ病に該当する可能性を判定する。
【００７０】
グループＡ〜Ｃの内の２以上のグループの質問事項について回答データが得られた場合に、疾患判定部５５は、それらのグループの質問事項について得られた判定結果を別個に表す判定結果データを生成しても良い。あるいは、疾患判定部５５は、それらのグループの質問事項について得られた判定結果を総合評価することによって、被検者がうつ病に該当する可能性やうつ病の重症度を判定するようにしても良い。その場合に、疾患判定部５５は、高い可能性又は高い重症度を示す判定結果を優先して採用しても良い。
【００７１】
＜グループＤの質問事項及び疾患判定＞
グループＤの幾つかの質問の内容は、以下に示すものである。
４９．誰かにあやつられているような感じがする
５０．誰かに監視されているような感じがする
５１．頭の中で知らない人の声が聞こえる、命令されている感じだ
５２．他人の言っている事がうまく理解できない
【００７２】
グループＤの質問に対する回答として、以下の３つの選択肢の内から１つの選択肢が選択される。それらの選択肢には、それぞれの点数が設定されており、回答データは、グループＤの質問事項に対する択一的な回答を数値で表すものとなる。
（１）はい（２点）
（２）どちらでもない（１点）
（３）いいえ（０点）
【００７３】
質問データベース７１は、１つ又は複数の特定の質問事項を表す質問データに関連付けて、うつ病の他の精神疾患が有るか無いかを判定するために用いられる閾値を表す閾値データを格納している。例えば、質問番号５１の質問事項を表す質問データに関連付けて、閾値データ「１」が格納されている。ここで、閾値データ「１」は、回答「どちらでもない」の１点に対応しており、閾値データ「２」は、回答「はい」の２点に対応している。また、質問番号４９、５０、５２の質問事項を表す質問データに関連付けて、閾値データ「６」が格納されている。ここで、閾値データ「６」は、質問番号４９、５０、５２の質問事項に対する回答「はい」の点数の合計値（３×２点）に対応している。
【００７４】
疾患判定部５５は、１つ又は複数の特定の質問事項に対する択一的な回答を数値で表す回答データの値又は合計値が閾値データによって表される閾値以上である場合に、うつ病の他の精神疾患が有ると判定する。例えば、疾患判定部５５は、質問番号５１の質問事項に対する回答データの値が閾値「１」以上である場合に、統合失調症の可能性が９０％以上であり、他の精神疾患が有ると判定する。また、疾患判定部５５は、質問番号５１の質問事項に対する回答データの値が閾値「１」よりも小さい（「０」である）場合に、質問番号４９、５０、５２の質問事項に対する回答データの合計値が閾値「６」以上であれば、統合失調症の可能性が５０％以上であり、他の精神疾患が有ると判定する。
【００７５】
＜診断後の治療＞
次に、本実施形態に係る精神科医療補助システムが診断後の治療を補助する場合について、図１及び図２を参照しながら説明する。
本実施形態に係る精神科医療補助サーバー３は、軽症のうつ病の治療法を表す治療法データを格納する治療法データベース７３を備えている。疾患判定部５５は、被検者が軽症のうつ病に該当し、かつ、他の精神疾患が無いと判定した場合に、治療法データベース７３から治療法データを読み出して、データ出力部５３が治療法データをクライアント端末１に出力することにより、軽症のうつ病の治療法をクライアント端末１の表示部に表示させる。
【００７６】
ここで、質問データベース７１が、被検者に対する複数の質問事項を表す質問データに関連付けて、軽症のうつ病に特有の複数の病状を表す病状データを格納し、治療法データベース７３が、それらの病状の有無を表す病状特定データに関連付けて、それらの病状の組合せに対応する治療法を表す治療法データを格納しても良い。
【００７７】
その場合に、疾患判定部５５は、被検者が軽症のうつ病に該当し、かつ、他の精神疾患が無いと判定した場合に、クライアント端末１からデータ入力部５２によって入力される回答データに基づいて、被検者の病状を表す病状データを質問データベース７１から抽出し、抽出された病状データを特定する病状特定データを検索キーワードとして用いて治療法データベース７３を検索する。これにより、疾患判定部５５は、その病状特定データに関連付けられた治療法データを読み出して、データ出力部５３が治療法データをクライアント端末１に出力することにより、被検者の病状に対応する治療法をクライアント端末１の表示部に表示させる。
【００７８】
軽症のうつ病に特有の複数の病状としては、例えば、軽症のうつ病の７大愁訴と呼ばれている次の病状が該当する。即ち、Ｃ１：抑うつ感、Ｃ２：不安感、Ｃ３：イライラ感、Ｃ４：意欲低下（おっくう感）、Ｃ５：食欲低下、Ｃ６：不眠、Ｃ７：不定愁訴（身体の不調、違和感、自律神経失調症状）の７つの症状である。
【００７９】
例えば、図３に示す質問データベースには、グループＡの質問番号１の質問データに関連付けて、不眠を表す病状データＣ６が格納されており、同様に、質問番号２の質問データに関連付けて、不眠を表す病状データＣ６が格納されている。また、質問番号３の質問データに関連付けて、意欲低下（おっくう感）を表す病状データＣ４が格納されており、同様に、質問番号４の質問データに関連付けて、意欲低下（おっくう感）を表す病状データＣ４が格納されている。このように、病状データＣ１〜Ｃ７が、グループＡのいずれかの質問データに関連付けて質問データベース７１に格納されている。
【００８０】
図７は、治療法データベースに格納されているデータの例を示す図である。図７に示す治療法データベースには、病状データＣ１〜Ｃ７によって表される病状の有無を表す病状特定データに関連付けて、それらの病状の組合せに対応する治療法を表す治療法データが格納されている。一般に、所定の複数の病状の数をｍ（ｍは２以上の整数）とすると、図７においては、ｍ＝７の場合に、ｍ個の病状から少なくとも１つの病状を選んで得られる全ての組合せについて、ｍ個の病状の有無を表す（２ｍ−１）個の病状特定データ「１１１１１１１」〜「００００００１」と、それらの病状の組合せに対応する治療法を表す治療法データとが示されている。ここで、病状特定データの第１〜７ビットの値は、病状データＣ１〜Ｃ７によって表される病状の有無をそれぞれ表しており、「１」は病状が有ることを表し、「０」は病状が無いことを表している。
【００８１】
例えば、病状特定データ「１１１１１１１」は、病状データＣ１〜Ｃ７によって表される病状の全てが有ることを表しており、これに関連付けて、治療法データＴ１及びＴ２が格納されている。次に、病状特定データ「１１１１１１０」は、病状データＣ１〜Ｃ６によって表される病状が有り、病状データＣ７によって表される病状が無いことを表しており、これに関連付けて、治療法データＴ１及びＴ３が格納されている。最後に、病状特定データ「００００００１」は、病状データＣ１〜Ｃ６によって表される病状が無く、病状データＣ７によって表される病状が有ることを表しており、これに関連付けて、治療法データＴ８が格納されている。
【００８２】
治療法データＴ１〜Ｔ９によって表される治療法は、例えば、次の薬品を処方することである。
Ｔ１：スルピリド５０ｍｇ錠剤を１日３回（朝、昼、夕食後）服用
エチゾラム０．５ｍｇ錠剤を１日３回（朝、昼、夕食後）服用
Ｔ２：アルプラゾラム０．４ｍｇ錠剤を眠前に１錠服用
ブロチゾラム０．２５ｍｇ錠剤を眠前に１錠服用
Ｔ３：ロラゼパム１ｍｇ錠剤を眠前に１錠服用
ブロチゾラム０．２５ｍｇ錠剤を眠前に１錠服用
Ｔ４：エチゾラム０．５ｍｇ錠剤を１日３回（朝、昼、夕食後）服用
（中略）
Ｔ９：パロキセチン１０ｍｇ錠剤を眠前に１錠服用
（後略）
【００８３】
疾患判定部５５は、質問番号１又は２の質問事項に対する回答データの値が「１」以上である場合に、質問番号１又は２の質問データに関連付けられた病状を表す病状データＣ６を質問データベース７１から抽出する。また、疾患判定部５５は、質問番号３又は４の質問事項に対する回答データの値が「１」以上である場合に、質問番号３又は４の質問データに関連付けられた病状を表す病状データＣ４を質問データベース７１から抽出する。例えば、病状データＣ１〜Ｃ４が抽出され、病状データＣ５〜Ｃ７が抽出されなかった場合に、抽出された病状データを特定する病状特定データは「１１１１０００」となる。
【００８４】
疾患判定部５５は、病状特定データ「１１１１０００」を検索キーワードとして用いて治療法データベース７３を検索することにより、病状特定データ「１１１１０００」に関連付けられた治療法データＴ４及びＴ９を読み出す。データ出力部５３は、読み出された治療法データＴ４及びＴ９を含むＨＴＭＬファイルをクライアント端末１に出力する。これにより、図８に示すように、被検者の病状に対応する治療法が、クライアント端末１の表示部に表示される。
【００８５】
＜精神科医療補助方法＞
次に、本発明の一実施形態に係る精神科医療補助方法について、図１、図２、及び、図９を参照しながら説明する。図９は、本発明の一実施形態に係る精神科医療補助方法を示すフローチャートである。
【００８６】
診療所等のオペレーターが、精神科医療補助サーバー３の電源を立ち上げて、精神科医療補助プログラムを起動させると、精神科医療補助サーバー３のＣＰＵ５０が一連の動作を開始する。
【００８７】
図９のステップＳ１において、質問検索部５４が、クライアント端末１からデータ入力部５２によって入力される質問の要求に応じて、被検者に対する複数の質問事項を表す質問データを格納する質問データベース７１を検索することにより、質問データベース７１に格納されている質問データの内から少なくとも一部の質問データを読み出して、データ出力部５３が質問データをクライアント端末１に出力することにより、複数の質問事項をクライアント端末１の表示部に表示させる。
【００８８】
次に、ステップＳ２において、疾患判定部５５が、クライアント端末１の表示部に表示される複数の質問事項に対する複数の回答を表し、クライアント端末１からデータ入力部５２によって入力される回答データを解析することにより、被検者がうつ病に該当する可能性、及び、被検者がうつ病に該当する場合にはうつ病の重症度を判定すると共に、他の精神疾患の可能性を判定し、判定結果を表す判定結果データを生成して、データ出力部５３が判定結果データをクライアント端末１に出力することにより、判定結果をクライアント端末１の表示部に表示させる。
【００８９】
さらに、ステップＳ３において、疾患判定部５５が、被検者が軽症のうつ病に該当し、かつ、他の精神疾患が無いと判定した場合に、軽症のうつ病の治療法を表す治療法データを格納する治療法データベース７３から治療法データを読み出して、データ出力部５３が治療法データをクライアント端末１に出力することにより、軽症のうつ病の治療法をクライアント端末１の表示部に表示させるようにしても良い。
【００９０】
本実施形態によれば、クライアント端末１から入力される質問の要求に応じて、質問データベース７１に格納されている質問データの内から少なくとも一部の質問データを読み出し、複数の質問事項をクライアント端末１の表示部に表示させて、それらの質問事項に対する複数の回答を表す回答データを解析することにより、被検者がうつ病に該当する可能性、及び、被検者がうつ病に該当する場合にはうつ病の重症度を判定すると共に、他の精神疾患の可能性を判定するようにしたので、精神科医療の専門医でない医師であってもうつ病を診断することを可能にすることができる。
【００９１】
以上の実施形態においては、精神科医療補助サーバーを１つの端末によって構成する場合について説明したが、本発明は、この実施形態に限定されるものではなく、精神科医療補助サーバーを複数の端末によって構成しても良い。このように、当該技術分野において通常の知識を有する者によって、本発明の技術的思想内で多くの変形が可能である。
【符号の説明】
【００９２】
１…クライアント端末、２…ファイアウォール、３…精神科医療補助サーバー、１０…入力部、２０…表示部、３０…インターフェース、４０…ネットワークインターフェース、５０…ＣＰＵ、５１…ネットワーク接続部、５２…データ入力部、５３…データ出力部、５４…質問検索部、５５…疾患判定部、５６…会員管理部、５７…患者管理部、５８…バックエンド部、５９…決済部、６０…メモリー、７０…記録部、７１…質問データベース、７２…グループ特定テーブル、７３…治療法データベース、７４…会員データベース、７５…患者データベース
【図１】
2019032862.tif 000003
【図２】
2019032862.tif 000004
【図３】
2019032862.tif 000005
【図４】
2019032862.tif 000006
【図５】
2019032862.tif 000007
【図６】
2019032862.tif 000008
【図７】
2019032862.tif 000009
【図８】
2019032862.tif 000010
【図９】
2019032862.tif 000011